(57)【要約】【課題】この考案は、振動器をベルトに固定して、同一ベルトにより身体各部を治療することを目的としたものである。【解決手段】この考案は、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにしたことを特徴とする振動健康器具により、目的を達成した。【選択図】図１
0003122160.tif 000002
【実用新案登録請求の範囲】
【請求項１】
ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにしたことを特徴とする振動健康器具。
【請求項２】
ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記モータ振動器の回路に、そのコントローラを接続し、該コントローラにより振動条件を自在に調節できるようにしたことを特徴とする振動健康器具。
【請求項３】
ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記ベルトの内面に長さ目盛を設けたことを特徴とする振動健康器具。
【請求項４】
ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記ベルトの内面に長さ目盛を設け、前記振動函装着部の上部外側へ、前記モータ振動器のＯＮ、ＯＦＦスイッチを設けたことを特徴とする振動健康器具。
【請求項５】
ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記振動函の固定は、該振動函を強靭な袋内に入れて、袋の一側をベルトに取付け、前記この袋を弾性保護枠に嵌めて、これを前記ベルトに設けた大袋内へ収容したことを特徴とする振動健康器具。
【考案の詳細な説明】
【技術分野】
【０００１】
この考案は、身体の余剰脂肪の除去又はマッサージその他皮膚に刺激を付与し、使用者の健康を増進することを目的とした振動健康器具に関する。
【背景技術】
【０００２】
従来健康器具、又は治療器具としては、人体の局部に振動を付与して筋肉を鍛え、脂肪の低減を図るなどを目的とした健康器具が多数提案されており、実用に供せられている。
【０００３】
前記目的を達成する為に片手で操作できるハンドタイプのもの、ベルト装着タイプのもの及び設置型（被治療者が乗り、又は腰掛けるようなタイプ）などが知られており、使用上、性能上一長一短がある。
【特許文献１】特開平８−２４３０３
【特許文献２】特公平７−１２１２７５
【考案の開示】
【考案が解決しようとする課題】
【０００４】
従来最も知られているマッサージ器は、ハンドタイプ（手で持って局部へ当接して振動を与える）又は設置タイプなどがあるが、ハンドタイプは、自己使用には不適当な場合が多い（例えば手が届かない）。また設置型は、治療場所が限定される問題点がある。またベルトタイプでも長いベルトの巻付型にあっては、腹に巻きつけるのは良いが、腕に巻きつけての振動には使用できない（又は使用しにくい）問題点があった（特許文献１）。
【０００５】
また床上へ置いて使用する大型器具は高価になるのみならず、設置場所以外まで使い難い問題点がある。
【０００６】
次に腰掛け又は仰臥して使用する装置も知られているが、複雑な構造による大型の器具であった（特許文献２）。
【０００７】
従って、腕、腹、足、太腿又は脚部その他の身体各部を同一器具により、治療器具乃至健康器具として使用するには未だ改良の余地があるとされている。
【課題を解決するための手段】
【０００８】
この考案は比較的幅広いベルトの一側に振動器を固定し、ベルトは長短調節自在にして、面ファスナーの係脱により装脱自在にするなど、取扱いを簡易化して前記従来の問題点を解決したのである。
【０００９】
即ちこの考案は、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにしたことを特徴とする振動健康器具であり、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記モータ振動器の回路に、そのコントローラを接続し、該コントローラにより振動条件を自在に調節できるようにしたことを特徴とする振動健康器具である。また他の考案は、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記ベルトの内面に長さ目盛を設けたことを特徴とする振動健康器具であり、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記ベルトの内面に長さ目盛を設け、前記振動函装着部の上部外側へ、前記モータ振動器のＯＮ、ＯＦＦスイッチを設けたことを特徴とする振動健康器具である。
【００１０】
また他の考案は、ベルトの一側にモータ振動器を装着して、振動函装着部とし、該ベルト端に、ベルト環を取付け、ベルトの外面へ、掛止用の面ファスナーを設け、前記振動函装着部を身体に当接した際、前記面ファスナーで相互に掛止できるようにし、前記振動函の固定は、該振動函を強靭な袋内に入れて、袋の一側をベルトに取付け、前記この袋を弾性保護枠に嵌めて、これを前記ベルトに設けた大袋内へ収容したことを特徴とする振動健康器具である。
【００１１】
前記この考案では、ベルトに振動器が固定してあるので、同一健康器具で腹部、腕、太腿などに装着して使用することができる。
【００１２】
この考案によれば、モータ回路にコントローラが介装されているので、装着後、体調に応じ、又は体感強度に応じ、回転数又は振動強度を調節し、かつ発振、停止をさせることができるので、危害を生じるおそれがなく、過度の治療を未然に防止することができる。
【００１３】
またベルトにはスケールが表示してあるので、使用の際における着用締付け強度の均一性を保つこともできるし、締付け度合の調節についてスケールの表示によりコントロールすることができる。
【考案の効果】
【００１４】
この考案によれば、装着後、発振、停止はもとより、強度の調節ができる効果がある。
【００１５】
また同一器具を、腹、腕、太腿又は脚部などの治療に使用できると共に、締付け時のベルトの長さを正確に知ることができるので、ベルトの装着長さから、緩締状体を調節できるなどの諸効果がある。更に振動部の自動摺動により、振動が人体へ無理なく伝達される効果がある。
【考案を実施するための最良の形態】
【００１６】
この考案は、ベルトの一側の広い面に、モータ振動器を内装した振動函を装着し、該ベルト端にベルト環を取付け、前記ベルトの内面に長さ目盛を設けると共に（装着時に一部は外面になる）、外面へ、掛止用の面ファスナーを設けて、ベルトの使用状態におけるどの位置の締着もできるようにしたものである。
【００１７】
また前記モータ振動器は、モータの両側に２つの重錘軸を並列架設し、この重錘軸へモータ軸の回転を伝導させた構造であるから、バランスのよい振動を付与することができる。
【００１８】
前記面ファスナーは、ベルトの締付け固定時に使用するもので、この考案の同一健康器具を、腹（胴部）、腕、太腿又は脚部にも装着し、使用することができるようにしてある。
【００１９】
この考案の振動器は、袋内へ収容された状態で弾性保護枠に嵌めて、ベルトに設けた大袋内へ収容したので、前記振動器は、上下左右方向へ自由に振動することができる。従って、微振動に対する束縛がなく、自由振動状態を実現し、局部へ伝達することができる。
【実施例１】
【００２０】
この考案の実施例を図１、２に基づいて説明すると、強靭な合成樹脂織布（例えばナイロン織布）を細長く仕上げてなるベルト１の一側幅広部の大袋２１内へ、振動函２を収容した袋１９を弾性保護枠１７の枠内へ収容し、前記袋１９の一側をベルト１へ取付け、この弾性保護枠１７をベルト１へ取付けた大袋２１内へ収容する。前記袋１９はその一側１９ａでベルトの側壁へ取付けてある。前記振動函２は、函体２ａと、蓋体２ｂの内部にモータ３の両側に、振動軸４、４を並設架設し、前記振動軸４、４に重錘リング５、５と、プーリー６、６を固定し、該プーリー６、６と前記モータ３の軸３ａに固定したプーリー７とへ、共通のベルト８を装着して、振動器１６を構成し、前記振動軸４、４を回転させるようにしてある（図２（ａ））。前記ベルト１の一側端部にはベルト環９を取付け、ベルト１の内面１ａには、長さ目盛１１を設け、ベルト１の外面１ｂには、面ファスナー１２が長手方向に端まで設けられて、この考案の健康器具１０を構成した。図中１３はコントローラ、１４、１５は電気コード、１７は振動器の弾性保護枠である。この弾性保護枠１７は、例えば合成樹脂スポンジであって、緩徐な緩衝効果を奏する。
【００２１】
前記健康器具１０を使用するには、その平面側１０ａを身体に当接して、ベルト１を締めつけ、面ファスナーでその状態をセットした後、コントローラ１３のボタンを押して始動すると共に、その強さ（例えば、強・中・弱）を設定する。
【００２２】
前記コントローラ１３にタイマーを設置しておけば、治療時間を正確に決めることができる。治療の程度はベルトの締付け強度及び振動の大小により適宜選定する。
【００２３】
またコントローラ１３からセンサー１８を出して、このセンサー１８を身体の一部に貼着しておけば、使用者の異常により振動を自動停止させることもできる。図中２０は通気孔である。
【００２４】
前記において、振動器を収容した袋１９も振動器の振動につれて自由に微振動するので、この振動が身体の局部に伝えられる。この場合に上下左右へ振動しても、弾性枠により正常位置が保たれ、一側へ片寄るおそれはない（弾性枠は正常位置を保持する）。
【図面の簡単な説明】
【００２５】
【図１】（ａ）この考案の実施例の一部を省略した裏面側の斜視図、（ｂ）同じく表面側斜視図。
【図２】（ａ）同じく振動器の実施例の展開斜視図、（ｂ）同じく振動器の保護枠の斜視図。
【図３】（ａ）同じく装着状態を示す斜視図、（ｂ）同じく弾性保護枠入り振動器の収容状態を示す一部を切断した拡大斜視図。
【符号の説明】
【００２６】
１  ベルト
２  振動函
３  モータ
４  振動軸
５  重錘リング
６、７  プーリー
８  ベルト
９  ベルト環
１０  健康器具
１１  目盛
１２ａ、１２ｂ、１２ｃ  面ファスナー
１３  コントローラ
１４  電気コード
１５  振動器のケース
１６  振動器
１７  弾性保護枠
１８  センサー
【図１】
0003122160.tif 000003
【図２】
0003122160.tif 000004
【図３】
0003122160.tif 000005